(57)【要約】ドメイン名システムは自国語ドメイン名登録機関１０５を含み、前記ドメイン名登録機関は登録要請時に少なくとも一つの非英数字を含む自国語ドメイン名を受信して、自国語ドメイン名を英数字ドメイン名に変換する。英数字ドメイン名はＤＮＳ１０３にドメイン名／ＩＰ住所を記入する時に使われる。
2004516531.tif 000002
【特許請求の範囲】
【請求項１】
ドメイン名を登録する方法において、
登録者から少なくとも一つの非英数字を含む自国語ドメイン名の登録要請を受信する段階と、
前記少なくとも一つの非英数字の各々を、対応する英数字に変換して英数字ドメイン名を生成する段階と、
前記英数字ドメイン名を公認された英数字ドメイン名登録機関に登録する段階とを含むドメイン名の登録方法。
【請求項２】
前記登録者が排他的に使用できるように前記自国語ドメイン名を予約する段階をさらに含むことを特徴とする請求項１に記載のドメイン名の登録方法。
【請求項３】
前記登録者以外の他の登録者により前記英数字ドメイン名が既に登録されているかどうかを判断する段階をさらに含むことを特徴とする請求項１に記載のドメイン名の登録方法。
【請求項４】
ドメイン名サーバーデータベースに記入事項を追加する段階をさらに含むが、前記追加された記入事項は前記英数字ドメイン名と前記登録者のウェブサイトのＩＰ住所との間に唯一の対応関係を定義することを特徴とする請求項１に記載のドメイン名の登録方法。
【請求項５】
前記英数字ドメイン名の登録時、前記登録者に前記自国語ドメイン名の登録完了を知らせる確認メッセージを送る段階をさらに含むことを特徴とする請求項１に記載のドメイン名の登録方法。
【請求項６】
前記少なくとも一つの非英数字の各々はユニコード標準に基づいて前記対応する英数字に変換されることを特徴とする請求項１に記載のドメイン名の登録方法。
【請求項７】
前記英数字ドメイン名は固定された数の文字幅を有することを特徴とする請求項１に記載のドメイン名の登録方法。
【請求項８】
前記固定された数の文字幅は６４個であることを特徴とする請求項７に記載のドメイン名の登録方法。
【請求項９】
ＷＷＷネットワーク上で使用者コンピュータと、目的とするウェブサイトとの間に通信リンクを設定する方法において、
少なくとも一つの非英数字を含む自国語ドメイン名を有する目的とするウェブサイトのＵＲＬを受信する段階と、
前記少なくとも一つの非英数字ドメイン名の各々を対応する英数字に変換して英数字ドメイン名を生成する段階と、
目的とするウェブサイトのＩＰ住所を得るために前記英数字ドメイン名を使用してドメイン名サーバーで照会を行う段階と、
前記ＩＰ住所を使用して使用者コンピュータと、前記目的とするウェブサイトとの間に通信リンクを設定する段階とを含む通信リンク設定方法。
【請求項１０】
前記少なくとも一つの非英数字の各々はユニコード標準に基づいて前記対応する英数字に変換されることを特徴とする請求項９に記載の通信リンク設定方法。
【請求項１１】
前記英数字ドメイン名は固定された数の文字幅を有することを特徴とする請求項９に記載の通信リンク設定方法。
【請求項１２】
前記固定された数の文字幅は６４個であることを特徴とする請求項１１に記載の通信リンク設定方法。
【請求項１３】
ドメイン名登録システムにおいて、
少なくとも一つの非英数字を含む自国語ドメイン名の登録要請を受信するように構成された自国語ドメイン名登録機関を含み、
前記自国語ドメイン名登録機関は、前記少なくとも一つの非英数字の各々を対応する一つの英数字に変換して英数字ドメイン名を生成するように構成され、また公認された英数字ドメイン名登録機関に前記英数字ドメイン名を登録するように構成されることを特徴とするドメイン名登録システム。
【請求項１４】
データベースを有するドメイン名サーバーを含み、前記データベースは複数の英数字ドメイン名と複数のＩＰ住所との間に唯一の対応関係を定義する複数の記入事項を有することを特徴とする請求項１３に記載のドメイン名登録システム。
【請求項１５】
前記自国語ドメイン名登録機関は、前記少なくとも一つの非英数字の各々をユニコード標準に基づいて前記対応する英数字に変換することを特徴とする請求項１３に記載のドメイン名登録システム。
【請求項１６】
前記英数字ドメイン名は固定された数の文字幅を有することを特徴とする請求項１３に記載のドメイン名登録システム。
【請求項１７】
前記固定された数の文字幅は６４つであることを特徴とする請求項１６に記載のドメイン名登録システム。
【請求項１８】
前記英数字ドメイン名は少なくとも一つの言語コード文字を含むことを特徴とする請求項１３に記載のドメイン名登録システム。
【発明の詳細な説明】
（技術分野）
本発明は一般に通信ネットワークに係り、より詳細には本発明は通信ネットワーク、特にワールドワイドウェブ（ＷＷＷ）で、非英語命名システムでもってエンティティ（個人や法人）をアドレスしてエンティティに連結させるための方法及び装置に関する。
【０００１】
（背景技術）
インターネット、特にＷＷＷは数多くの情報源を提供し、その情報源の各々は通常ハイパーテキストマークアップランゲージ（ＨＴＭＬ）ページ（ウェブページ）の形でぼう大なコンピュータネットワークの使用者に有用な情報、商品及びサービスを提供する。公知のように、使用者は通常ウェブブラウザ、例えば米国カリフォルニアのマウンティンビューに位置したネットスケープコミュニケーションズコーポレーションのナビゲーター（登録商標）、または米国ワシントンのレッドモンドに位置したマイクロソフトコーポレーションのインターネットエクスプローラ（登録商標）を利用する。このようなウェブブラウザは所望のウェブページに接近するために使用者のコンピュータ上に設置される。
【０００２】
特定ウェブページをアクセスするために、使用者のウェブブラウザはネットワーク、すなわちインターネット上の目的とするウェブサイトの住所を知っていなければならない。特に、ＷＷＷの場合、その住所はインターネットプロトコール（ＩＰ）住所で言及される。ＩＰ住所は数字形態、例えば１２３．４５６．７８．９の形態を有する。ＷＷＷで一ウェブサイトをホスティンする各々のサーバーには唯一のＩＰ住所が与えられる。
【０００３】
しかし、ＷＷＷ内のウェブページの数（既に数百兆に至る）が急速に増加しているため、より容易く記憶できる英数字の別称を使用するさらに直観的なアドレッシング協定が考案されている。新しく考案されたアドレッシングシステムによる住所は普通ユニバーザルリソースロケータ（ＵＲＬ）として言及され、このＵＲＬは通常”プロトコール：／／ｗｗｗ．ｄｏｍａｉｎ−ｎａｍｅ．ｄｏｍａｉｎ”の構造を有する。そのプロトコールは、例えばＷＷＷの場合にハイパーテキスト転送プロトコール（ＨＴＴＰ）である。ドメインは受信人が全体インターネット上のどの上位レベルの分割部分に属しているかを明示するが、例えば”ｃｏｍ”、”ｏｒｇ”または”ｎｅｔ”などのような形態である（米国を除外した国でドメインは国家名表示器を含み、たとえばｃｏ．ｕｋは英国での商用ドメインを示す）。ドメイン名とドメインフィールドは共に実際ＩＰ住所の別称で提供される。ドメイン名は複数のサブ名、たとえば”サブ名１． サブ名２．．． サブ名ｎ”の順序で配置されうる。例えば、あるＵＲＬ、ｈｔｔｐ：／／ｗｗｗ．ｘｙｚ．ｃｏｍはｘｙｚ会社のウェブサイトをホスティンするＷＷＷ内のサーバーを明示するものである。
【０００４】
インターネット上に位置したドメイン名サーバー（ＤＮＳ）と呼ばれる特別なサーバーはドメイン名をマッピングするグローバルディレクトリを維持する。たとえば、ドメイン名”ｘｙｚ．ｃｏｍ”はそのｘｙｚ会社のウェブサイトをホスティンするサーバーに該当する実際ＩＰ住所、例えば１２３．４５６．７８．９にマッピングされる。ＤＮＳサーバーは一つ以上の物理的に分離されたコンピュータであり、階層的に構成されうる。ある使用者が自分のコンピュータ上に設置されたウェブブラウザに一つのＵＲＬを記入すれば、ウェブブラウザはＤＮＳサーバーにその特定ＵＲＬに関連するＩＰ住所を照会する。一応、ウェブブラウザがＤＮＳサーバーからＩＰ住所を得れば、使用者ウェブブラウザとそのＩＰ住所に位置したサーバーアプリケーションとの間には接続が行われる。
【０００５】
各ＵＲＬとそれに関連したＩＰ住所との間には明確な一対一対応関係がある。各ＵＲＬとその関連したＩＰ住所との完全な唯一対応を保証するために、相異なるＩＰ住所を有するいかなる二つの相異なるサーバーも同じＵＲＬを共有しないようにする。このような目的で、一登録者だけに一つの特定の”ドメイン名”を与えられる登録システムが存在する。現在、登録システムの権限はＩＣＡＮＮ（Ｉｎｔｅｒｎｅｔ Ｃｏｒｐｏｒａｔｉｏｎ ｆｏｒ Ａｓｓｉｇｎｅｄ Ｎａｍｅｓ ａｎｄ Ｎｕｍｂｅｒｓ）と呼ばれる非営利機構にある。また、現在各々のドメインに対してただ一登録機関だけがドメイン名を登録できるように許容される。例えば、”．ｃｏｍ”、”．ｏｒｇ”、及び”．ｎｅｔ”ドメインの場合、米国バージニアのハーンドン（Ｈｅｒｎｄｏｎ）に位置したネックワークソリューションズインコーポレイティッド（ＮＳＩ）社が唯一に公認されたドメイン名登録機関である。一度登録者が公認された登録機関にドメイン名を登録すれば、たとえば”．ｃｏｍ”ドメイン名をＮＳＩに登録した場合、他の個人や法人は同じドメイン名を登録できない。一度一つのドメイン名が登録されれば、ＤＮＳディレクトリは新しい記入事項に更新されて、登録者のウェブホスティングサーバーＩＰ住所に新しく登録されたドメイン名を与える。
【０００６】
このようなＵＲＬシステム及びドメイン名登録システムは数字によるＩＰ住所システムに比べてアドレッシング協定の便利性において大きく改善されたが、現在のシステムは非英語圏国家のインターネット使用者に特に不便である。あらゆるドメイン名の各文字は英数字の形態でなければならないために（すなわち、Ａ−Ｚの文字、１−９の数字、または”−”）、非英語圏国家の使用者は英数字を使用して自国語単語を綴って入力しようとする試みをしている。しかし、英語のアルファベットは各言語のあらゆる音声を表すのに不適切であり、外国語単語（英語ではない外国語単語）を英語のアルファベットを使用して表示すればたびたびいくつかの異なる方法で表示されることがあり、これらうちいずれもその単語の母国語発音を事実的に表現できない。例えば、韓国語を使用するインターネット使用者は英語の”ＡＢＣ”に当たる韓国語単語”ガナダ”を”Ｋａｎａｄａ”、”Ｇａｎａｄａ”、または”Ｇｈａｎａｈｄａｈ”と音声的に綴る（さらに多様な他の綴り方が可能である）。
【０００７】
前述した多重綴りの可能性問題は非英語圏国家のＷＷＷ上の使用者間にＵＲＬ情報を交換する時に数多くの混乱、挫折及び不便を招く。ＵＲＬ情報を提供する場合に、全体単語を単純に発音して全体ドメイン名を伝達するよりは一文字ずつ伝達せねばならない。これは英語をうまく駆使できない人々には非常に不便である。さらに、非英語圏国家の事業者の場合、ある特定の事業により提供されたサービスを完壁に説明する適当な自国語単語があっても、その単語に当たる英数字綴りへの混同可能性のためにその事業に関するドメイン名としてその単語を使用しようとしない。
【０００８】
さらに、非英語圏ＷＷＷ使用者が英語単語を記憶しなければならないと要求すること自体が不便を与えることはもちろん現在のドメイン名システムを望ましくなくする。
【０００９】
したがって、一つ以上の非英語英数字を含める自国語ドメイン名を登録して使用できる方法及びシステムに対する要求が続いている。
【００１０】
（発明の開示）
本発明の原理によれば、ドメイン名を登録する方法は、少なくとも一つの非英数字を含む自国語ドメイン名の登録要請を受信する段階と、前記少なくとも一つの非英数字の各々を、対応する英数字に変換して英数字ドメイン名を生成する段階と、前記英数字ドメイン名を公認された英数字ドメイン名登録機関に登録する段階とを含む。
【００１１】
また、本発明の原理によれば、ＷＷＷネットワーク上で使用者コンピュータと目的とするウェブサイトとの間に通信リンクを設定する方法は、少なくとも一つの非英数字を含む自国語ドメイン名を有する目的とするウェブサイトのＵＲＬを受信する段階と、前記少なくとも一つの非英数字ドメイン名の各々を対応する英数字に変換して英数字ドメイン名を生成する段階と、目的とするウェブサイトのＩＰ住所を得るために前記英数字ドメイン名を使用してドメイン名サーバーで照会を行う段階と、前記ＩＰ住所を使用して使用者コンピュータと前記目的とするウェブサイトとの間に通信リンクを設定する段階とを含む。
【００１２】
また、本発明の原理によれば、ドメイン名登録システムは、少なくとも一つの非英数字を含む自国語ドメイン名の登録要請を受信するように構成された自国語ドメイン名登録機関を含み、前記自国語ドメイン名登録機関は、前記少なくとも一つの非英数字の各々を対応する一つの英数字に変換して英数字ドメイン名を生成するように構成され、また公認された英数字ドメイン名登録機関に前記英数字ドメイン名を登録するように構成されることを特徴とする。
【００１３】
本発明の特徴及び長所は添付図面を参照して説明される次の説明から当業者に明らかになる。
【００１４】
図１は、本発明の原理によって自国語ドメイン名登録及び使用システムを含むインターネットの実施例を示し、
図２Ａは、本発明の原理によって自国語ドメイン名フォーマットの関連部分と、登録のために唯一に対応する英数字ドメイン名のフォーマットの実施例を示し、
図２Ｂは、本発明の原理によって自国語ドメイン名フォーマットの関連部分と、登録のために唯一に対応する言語コードフィールドを含む英数字ドメイン名のフォーマットの他の実施例を示し、
図３は、本発明の原理によって自国語ドメイン名を登録する過程の実施例を示すフローチャートであり、
図４は、本発明の原理によって使用者ウェブブラウザ、ＤＮＳサーバー、及び目的とするウェブサイト間の通信を例示的に示す実施例を示し、
図５は、本発明の原理によってウェブブラウザディスプレースクリーンを例示的に示す実施例を示す。
【００１５】
（発明を実施するための最良の態様）
簡単明瞭に説明するために、本発明の原理は韓国語ドメイン名の登録及び使用を主に言及して記述する。しかし、当業者は同じ原理が他の任意の言語のドメイン名についても適用されて行われうるということが容易に分かる。
【００１６】
本発明の原理によるドメイン名システムは自国語ドメイン名登録要請を受け入れる自国語ドメイン名登録機関を含む。自国語ドメイン名はドメイン名登録に許容される文字集合、すなわちＡ−Ｚの文字、１−９の数字、及び”−”のように英数字に含まれない少なくとも一つの非英数字を含む。前記非英数字の各々は英数字の列（ストリング）に変換されて登録要請された自国語ドメイン名を唯一に表す英数字列を含む英数字ドメイン名を生成する。この結果による英数字ドメイン名は前記ドメイン名登録システムに登録されてＤＮＳでドメイン名／ＩＰ住所記入事項で使われる。自国語文字及び対応する英数字列間の変換に基づいたアルゴリズムが存在して、自国語文字と対応する英数字列との間に唯一の対応を維持させる。同じアルゴリズムがＷＷＷ使用者のコンピュータ上に設置されたウェブブラウザに供給されて自国語ドメイン名を対応する英数字ドメイン名に変換し、これは各々のＷＷＷブラウズセッションのうちドメイン名照会過程に窮極的に使われる。
【００１７】
特に、図１は本発明の実施例によってＷＷＷネットワーク１００の関連部分を示したブロック図である。前記ＷＷＷネットワークは相互接続構造１０１を含み、その相互接続構造を通じて英数字ドメイン名登録機関（ＡＤＮＲ）１０２、ＤＮＳサーバー１０３、ドメイン名登録者（ＤＮＲ）１０４、自国語ドメイン名登録機関（ＮＬＤＮＲ）１０５及び使用者コンピュータ１０７の各々は相互通信する。
【００１８】
前記相互接続構造１０１はインターネットの構造になれた人々に公知のように広域ネットワーク（ＷＡＮ）であり、複数のコンピュータ、ルータ、ゲートウェイ及び／または公用電話網（ＰＳＴＮ）の部分を含むこともある。
【００１９】
前記ＡＤＮＲ１０２は特定ドメインのドメイン名の公認された登録機関である。たとえば、現在”．ｃｏｍ”、”．ｏｒｇ”及び”．ｎｅｔ”ドメインの場合、米国バージニアのハーンドンに位置したＮＳＩ社がドメイン名の唯一の公認登録機関である。一例として、ただ一つのＡＤＮＲ１０２が図１に示されているが、実際に数多くのＡＤＮＲ１０２があり、その各々は特定ドメイン、たとえば”．ｇｏｖ”、”．ｃｏ．ｕｋ”、”．ｃｏ．ｋｒ”などの登録機関である。
【００２０】
ＤＮＲ１０４はＩＰ住所、たとえば１２３．４５６．７８．９の住所を有するホスティングサーバー（図示せず）によりホスティングされるウェブサイト１０６の”ウェブ住所”を得ることを希望する個人または会社である。一例としてただ一つのＤＮＲ１０４が示されているが、多くのＤＮＲ１０４がある。いずれか一つのＤＮＲ１０４があるドメイン名を公認されたＡＤＮＲ１０２に登録すれば、たとえば”．ｃｏｍ”ドメイン名をＮＳＩに登録すれば、他のエンティティは同じドメイン名を登録できない。ドメイン名、たとえば”ｘｙｚ．ｃｏｍ”の登録のためにＤＮＲ１０４からの要請に応答して、前記ＡＤＮＲ１０２はそのドメイン名を要請したＤＮＲ１０４の排他的使用のためにその要請されたドメイン名を予約する。要請するＤＮＲ１０４はそのウェブサイト１０６が開発されてＷＷＷの残りに公開されるまで、その新しく登録されたドメイン名を”パーキング”できる。進出時に通常のウェブサイトはウェブホスティングサーバー（図示せず）に位置する。一度一つのドメイン名が登録されて、関連したウェブサイトが進出すれば、ＤＮＳサーバー１０３のＤＮＳディレクトリはその新しく登録されたドメイン名を登録者のウェブホスティングサーバーＩＰ住所に割当てた新しい記入事項に更新される。
【００２１】
本発明の原理によって、前記ＷＷＷ１００は自国語ドメイン名の登録要請を受け入れるＮＬＤＮＲ１０５を含む。本発明、そしてここでの説明のために、自国語ドメイン名は文字列を有するドメイン名として定義され、その少なくとも一つの文字は非英数字、すなわち現在ドメイン名として許容される文字集合、すなわち英語アルファベットＡからＺ（大文字または小文字）、アラビア数字、０、１、２、３、４、５、６、７、８、９、及び”−”に含まれない文字である。
【００２２】
例えば、ＮＬＤＮＲ１０５はＤＮＲ１０４から自国語ドメイン名、”ガナダ．ｃｏｍ”の登録要請を受けられる。ここで、”ガナダ”は韓国語でその”ガ”、”ナ”、”ダ”の各々は非英数字である。本発明の一実施例によれば、そのような登録要請を受ければ、前記ＮＬＤＮＲ１０５は自国語ドメイン名を全体ＷＷＷ共同体により望ましく適用される標準変換アルゴリズムによって英数字ドメイン名に変換する。その変換アルゴリズムは後でより詳細に説明する。前記ＮＬＤＮＲ１０５はＤＮＲ１０４の要請による排他的使用のための自国語ドメイン名を予約し、ＡＤＮＲ１０２にその自国語ドメイン名に対応する変換された英数字ドメイン名を登録する。前記ＡＤＮＲ１０２は要請された英数字ドメイン名を予約し、前述したように新しく登録された英数字ドメイン名を登録者のウェブホスティングサーバーＩＰ住所に割当てる新しい記入事項でＤＮＳサーバー１０３内のＤＮＳディレクトリを更新する。たとえば、ＮＬＤＮＲ１０５とＡＤＮＲ１０２とは分離されたエンティティで示されているが、実際一つの同じエンティティで具現できる。
【００２３】
ＷＷＷ使用者は自分のコンピュータ１０７を使用してウェブブラウザ１０８、たとえば米国カリフォルニアのマウンティンビューに位置したネットスケープコミュニケーションズコーポレーションのナビゲーター（登録商標）、または米国ワシントンのレッドモンドに位置したマイクロソフトコーポレーションのインターネットエクスプローラ（登録商標）を利用してＷＷＷブラウズセッションを行える。非英語圏国家の使用者の場合、使用者は一形態のウェブブラウザ１０８を使用して使用者の自国語、すなわち韓国語で入力の記入と情報の表示とを許容できる。使用者コンピュータ１０７は典型的にキーボード１０９を具備し、非英語圏の使用者の場合に前記キーボードは使用者の自国語文字を入力するための一つ以上のキーボタンを提供する。
【００２４】
本発明の一実施例によれば、ウェブブラウザ１０８は自国語形態のウェブブラウザの場合、前記言及したようにＮＬＤＮＲ１０５の場合と同じ方法でキーボード１０９の使用者により記入された自国語ドメイン名を対応する英数字ドメイン名に変換する変換モジュールを具備する。これを後で詳細に説明する。変換モジュールは非英語圏使用者がＷＷＷ上の所望のウェブサイトに到達するために自分の自国語でＵＲＬをタイピングできるようにする。
【００２５】
前記自国語ドメイン名に対応する英数字ドメイン名への変換過程は図２Ａ及び図２Ｂを参照してより詳細に記述する。図２Ａは一つの自国語ドメイン名２０１とそれに対応する英数字ドメイン名２０２のフォーマットの関連部分の望ましい実施例を示すものである。特に、自国語ドメイン名２０１はｎ個の文字２０３、すなわちＣＨＡＲ１、ＣＨＡＲ２、ＣＨＡＲ３、．．．、ＣＨＡＲｎの列である。ここでｎ個の文字のうち少なくとも一つの文字は非英数字である。自国語ドメイン名２０１の文字いずれも少なくとも一つの非英数字を含んでいる英数字でありうる。
【００２６】
非英数字は特定使用者の言語よりなるキーボード上で利用可能な言語で構成される任意の文字でありうる。特定自国語、たとえば韓国語、日本語、フランス語、または中国語のような言語の場合、各々の可能な筆記文字が唯一の英数字に割当てられる。本発明の望ましい実施例で英数字を自国語文字に割当てることは、米国カリフォルニアのマウンティンビューのユニコードコンソシウム（そのウェブサイトのＵＲＬはｗｗｗ．ｕｎｉｃｏｄｅ．ｏｒｇである）から利用可能なＵＮＩＣＯＤＥ（商標名）に基づいている。
【００２７】
ＵＮＩＣＯＤＥ（商標名）標準によれば、各自国語の可能な文字は２バイトコードで割当てられ、バイト範囲が各言語に割当てられる。例えば、前記ＵＮＩＣＯＤＥ（商標名）標準による選択的な望ましい言語のための範囲割当ては下記の表１に示されている。
【００２８】
【表１】
2004516531.tif 000003
【００２９】
前記表１から分かるように、２バイトコードの文字列が与えられ、あらゆる２バイトコードが所定の範囲にあることに留意すれば、変換モジュールを具備したウェブブラウザ１０８はそのドメイン名をディスプレーするためにその言語を認識できる。例えば自国語ドメイン名２０１、韓国語で”ガナダ”は三つの文字”ガ”、”ナ”、”ダ”を含み、その文字は各々ＵＮＩＣＯＤＥ（商標名）標準によって対応する英数字列２０４、すなわち”０ＡＣ０”、”８Ｂ０９”及び”４Ｂ２Ｅ”にエンコーディングされる。したがって、韓国語ドメイン名２０１の”ガナダ”は１２個の文字で構成された英数字ドメイン名２０２、すなわち”０ＡＣ０８Ｂ０９４Ｂ２Ｅ”に変換される。英数字ドメイン名２０４の各２バイトは範囲ＡＣ００−Ｄ７ＡＦにあり、これによりウェブブラウザ１０８はドメイン名がＵＮＩＣＯＤＥ（商標名）の標準によって韓国語音節で表示されうることを認識する。
【００３０】
現在のドメイン名システムは英数字ドメイン名が最大６７個の文字を有するようにする。したがって自国語ドメイン名は１６個の自国語文字を具備できる。本発明の実施例で英数字ドメイン名２０２は４ないし６７個の文字のうち任意の数で構成できるが、英数字ドメイン名２０２は固定された文字長さ、たとえば６４個の文字を具備する。要請された自国語ドメイン名が１６個未満の自国語文字を具備すれば、適切な数のゼロ（０）が６４文字長さの英数字ドメイン名を得られるように満たされる。例えば、本発明の望ましい実施例で自国語ドメイン名２０１の”ガナダ”は英数字ドメイン名２０２、すなわち”０ＡＣ０８Ｂ０９４Ｂ２Ｅ００００００００００００００００００００００００００００００００００００００００００００００００００００”に変換される。また、ウェブブラウザ１０８の変換モジュールはゼロバイト”００”を無視するようになっている。長いドメイン名、すなわち６４文字長さは大衆的に使われなく、ドメインでの名空間の大部分が英字ドメイン名を所望する登録者により使われるように保存されうる。
【００３１】
前記説明で自国語ドメイン名に対応する英数字ドメイン名への変換はＵＮＩＣＯＤＥ（商標名）標準を使用して示されたが、各言語の各文字に唯一の任意のバイト長さの英数字列を割当てる任意の他の変換アルゴリズムがあり、このように他のアルゴリズムの使用も本発明に含まれることを理解できる。
【００３２】
図２Ｂは、本発明の他の実施例による英数字ドメイン名２０２Ａのフォーマットを示すものである。この実施例で、英数字ドメイン名２０２Ａはドメイン名がディスプレーされる言語を表すのに使われうる少なくとも一つの付加的な言語コードバイト２０５を具備したことを除いては前記英数字ドメイン名２０２と類似である。
【００３３】
一例として、自国語ドメイン名は韓国語ドメイン名を使用して記述したが、任意のドメイン名は前述した本発明の原理による英数字ドメイン名に変換できる。
【００３４】
図３によって、本発明の原理による自国語ドメイン名登録過程を後述する。図３に示されたように、自国語ドメイン名、すなわち”ガナダ．ｃｏｍ”の登録要請が段階３０１でＤＮＲ１０４から受信されれば、段階３０２でＮＬＤＮＲ１０５は自国語ドメイン名を前述した方法で英数字ドメイン名、たとえば”０ＡＣ０８Ｂ０９４Ｂ２Ｅ００００００００００００００００００００００００００００００００００００００００００００００００００００”に変換する。
【００３５】
段階３０３で、ＮＬＤＮＲ１０５は変換された英数字ドメイン名が前記ＤＮＲ１０４により登録に利用されうるかどうかをＡＤＮＲ１０２に照会する。もしその要請された英数字ドメイン名が登録に利用されえれば、すなわち、だれも以前に同じドメイン名を登録していなければ、ＮＬＤＮＲ１０５は段階３０６でＡＤＮＲ１０２にその要請された英数字ドメイン名を登録し、段階３０７で確認メッセージを要請者ＤＮＲ１０４に送る。そのメッセージはその要請された自国語ドメイン名が今登録されて要請者の排他的な使用のために予約されたことを知らせる。その登録過程は段階３０８で終了する。
【００３６】
一方、もし変換された英数字ドメイン名が既に他の登録者により登録されているならば、段階３０４でＮＬＤＮＲ１０５は現在の要請者にその要請された自国語ドメイン名を登録できないということを通知し、段階３０５で要請者に他の自国語ドメイン名を選択するかどうかを問い合わせし、段階３０５でもし要請者が他の自国語ドメイン名を選択すれば、段階３０１から始まる処理過程を反復する。一方、もし要請者が他のドメイン名を選択しないならば、段階３０８で作業は終了する。
【００３７】
前述したように一つの自国語ドメイン名が登録されて、登録者がドメイン名をウェブホスティングサーバーに位置させることによってそのウェブサイトを公開すれば、登録者のウェブサイトにＷＷＷの使用者がアクセスできる。図４はＷＷＷのエンティティ間の通信を示すものであって、ＷＷＷの使用者が登録された自国語ドメイン名を具備したウェブサイト４０９に到達できるようにする。
【００３８】
非英語圏国家でＷＷＷ使用者はウェブブラウザ４０２を具備してキーボード（図示せず）で一つ以上の自国語文字を受信して表示でき、また変換モジュール４０３を含む。変換モジュール４０３は前述したように自国語ドメイン名を対応する英数字ドメイン名へ変換する。ウェブブラウザ４０２の典型的な画面ディスプレー５００は図５に示されているが、ここにドメイン名記入／表示窓５０２が示されており、それを介して使用者は自国語ドメイン名、たとえば、”ガナダ”を入力できる。ウェブブラウザ画面５００はまたドメイン選択ボックスを含むが、ＷＷＷ技術になれた人々に公知のように、このドメイン選択ボックスは可能なドメインの目録、たとえば”．ｃｏｍ”、”．ｎｅｔ”、”．ｏｒｇ”、及び”．ｃｏ．ｋｒ”などを提供する。ドメイン名と選択されたドメインは共に一つのＵＲＬを形成する。たとえば、本例で、ｈｔｔｐ：／／ｗｗｗ．ガナダ．ｃｏｍを形成する。
【００３９】
図４によれば、ある使用者が自国語ＵＲＬ４０１、たとえばウェブブラウザ画面５００を通じてｈｔｔｐ：／／ｗｗｗ．ガナダ．ｃｏｍを入力すれば、ウェブブラウザ４０２の変換モジュール４０３は前述したように自国語ドメイン名を英数字ドメイン名に変換して対応する英数字ＵＲＬ４０４、たとえばｈｔｔｐ：／／ｗｗｗ．０ＡＣ０８Ｂ０９４Ｂ２Ｅ００００００００００００００００００００００００００００００００００００００００００００００００００００．ｃｏｍを形成してその形成された英数字ＵＲＬをＤＮＳサーバー４０８に転送する。ＤＮＳサーバー４０８はルックアップ動作を行ってその英数字ＵＲＬに対応するＩＰ住所を捜し出し、その捜し出したＩＰ住所４０５をウェブブラウザ４０２に転送する。その後、ウェブブラウザ４０２はＩＰ住所４０５を使用して使用者ウェブブラウザ４０２と目的とするウェブサイト４０９との間に通信リンクを設定し、その通信リンクを通じて使用者はウェブサイト４０９により提供される情報及び／またはサービスをアクセスできる。
【００４０】
一度通信リンク４０６が設定されれば、ウェブサイト４０９のＨＴＭＬページ５０５は図５に示されたように使用者ウェブブラウザ画面５００にディスプレーされる。
【００４１】
本発明がその典型的な実施例について説明されたが、当業者は本発明の思想と範囲を離脱しない限り前述した発明の実施例をいろいろ変形できる。
【図面の簡単な説明】
【図１】
本発明の原理によって自国語ドメイン名登録及び使用システムを含むインターネットの実施例を示す図である。
【図２】
図２Ａは、本発明の原理によって自国語ドメイン名フォーマットの関連部分と、登録のために唯一に対応する英数字ドメイン名のフォーマットの実施例を示す図である。
図２Ｂは、本発明の原理によって自国語ドメイン名フォーマットの関連部分と、登録のために唯一に対応する言語コードフィールドを含む英数字ドメイン名のフォーマットの他の実施例を示す図である。
【図３】
本発明の原理によって自国語ドメイン名を登録する過程の実施例を示すフローチャートである。
【図４】
本発明の原理によって使用者ウェブブラウザ、ＤＮＳサーバー、及び目的とするウェブサイト間の通信を例示的に示す実施例を示す図である。
【図５】
図５は、本発明の原理によってウェブブラウザディスプレースクリーンを例示的に示す実施例を示す図である。
【図１】
2004516531.tif 000004
【図３】
2004516531.tif 000005
【図４】
2004516531.tif 000006
【図５】
2004516531.tif 000007
【国際公開パンフレット】
2004516531.tif 000008
2004516531.tif 000009
2004516531.tif 000010
2004516531.tif 000011
2004516531.tif 000012
2004516531.tif 000013
2004516531.tif 000014
2004516531.tif 000015
2004516531.tif 000016
2004516531.tif 000017
2004516531.tif 000018
2004516531.tif 000019
2004516531.tif 000020
2004516531.tif 000021
2004516531.tif 000022
2004516531.tif 000023
2004516531.tif 000024
2004516531.tif 000025
2004516531.tif 000026
2004516531.tif 000027
2004516531.tif 000028
2004516531.tif 000029
2004516531.tif 000030
2004516531.tif 000031
2004516531.tif 000032
【国際調査報告】
2004516531.tif 000033
2004516531.tif 000034